(57)【要約】【課題】  受信放送にデータ放送が存在する場合にフォーカスが自動的にデータ放送にあたることによる使い勝手の悪さを解消することができる携帯型視聴装置を提供する。【解決手段】  選局後には表示部８にＴＶ映像が表示され（ステップＳ１）、ＴＶにフォーカスがあたり（ステップＳ２）、十字キー（方向キー）１２ａを操作すると、チャンネルアップ・ダウンの処理が行われる。そして、受信放送にデータ放送が存在しているかどうかを判定し（ステップＳ３）、データ放送が無ければフォーカスはＴＶのままである。一方、データ放送が存在している場合には、ディスプレイの一部を用いてブラウザ表示を行い（ステップＳ４）、所定時間の経過を待つ（ステップＳ５）。そして、この所定時間の経過の後、データ放送にフォーカスがあたり（ステップＳ６）、選局処理が終了する。【選択図】        図２
2006311085.tif 000002
【特許請求の範囲】
【請求項１】
携帯機器向けのディジタル放送を受信してテレビ画像表示及びデータ放送画像表示が行える携帯型視聴装置において、受信放送にデータ放送が存在するときには、前記テレビ画像表示に加えて前記データ放送画像表示を実行するとともに、前記データ放送画像表示を行った時点から所定時間が経過した後に、キー操作で制御される対象をデータ放送とするように構成されたことを特徴とする携帯型視聴装置。
【請求項２】
請求項１に記載の携帯型視聴装置において、前記キー操作で制御される対象がテレビ放送であるときには前記テレビ画像の表示領域を囲むように枠を表示し、前記キー操作で制御される対象がデータ放送であるときには前記データ放送画像表示がなされている領域に前記枠を表示することを特徴とする携帯型視聴装置。
【請求項３】
請求項１又は請求項２に記載の携帯型視聴装置において、前記キー操作で制御される対象がテレビ放送であるときにはそのことを示す文字又は絵文字を表示し、前記キー操作で制御される対象がデータ放送であるときにはそのことを示す文字又は絵文字を表示することを特徴とする携帯型視聴装置。
【発明の詳細な説明】
【技術分野】
【０００１】
この発明は、地上ディジタル放送の視聴が可能な携帯電話などの携帯型視聴装置に関する。
【背景技術】
【０００２】
近年においては、携帯電話などの携帯機器にテレビ放送の視聴機能を備えたものが提案されている（特許文献１参照）。更に、携帯型視聴装置用に地上ディジタル放送（１セグメント放送）が予定されている。
【特許文献１】特開２００３−１０１９２１号公報
【発明の開示】
【発明が解決しようとする課題】
【０００３】
ところで、携帯型視聴装置では、キー数に限りがあるため、同じキーを異なる機能のキーとして用いる。例えば、受信放送にデータ放送がなければＴＶ（テレビ）放送だけが画面に表示されるが、この状態では、例えば十字キー（方向キー）の上方向キー又は下方向キーが操作されると、チャンネルアップ・ダウン処理が実行される（すなわち、キー操作で制御される対象をテレビ放送とする。このような状態を、ＴＶ放送にフォーカスをあてるという）。一方、受信放送にデータ放送が存在すればＴＶ放送の画面に加えてデータ放送の画面に表示され、この状態では、例えば十字キー（方向キー）の上方向キー又は下方向キーが操作されると、データ放送画面内のスクロール処理が実行される（すなわち、キー操作で制御される対象をデータ放送とする。このような状態を、データ放送にフォーカスをあてるという）。
【０００４】
図５のフローチャート基づいて従来の処理を簡潔に示す。ＴＶ機能を起動すると例えば、ラストチャンネルが選局され、ＴＶモードとなって画面にテレビ映像が表示され（ステップＳ１１）、ＴＶにフォーカスがあたる（ステップＳ１２）。ＴＶにフォーカスがあたっている状態では、十字キー（方向キー）を操作すると、チャンネルアップ・ダウンの処理が行われる。そして、受信放送にデータ放送が存在しているかどうかを判定する（ステップＳ１３）。データ放送が無ければフォーカスはＴＶのままである。一方、データ放送が存在している場合には、ディスプレイの一部を用いてブラウザ表示（データ放送表示）を行うとともに（ステップＳ１４）、データ放送にフォーカスをあて（ステップＳ１５）、選局処理を終了する。従って、十字キー（方向キー）を操作すると、ブラウザ画面領域（データ放送画面領域）での画面のスクロールの処理が行われる。なお、ＴＶキーを押下することで、データ放送に対するフォーカスとＴＶ放送に対するフォーカスとが順繰りに切り替わる（図６のステップＳ２１〜ステップＳ２４参照）。
【０００５】
上記のごとく、データ放送にフォーカスがあたってしまうと、ユーザーが例えばザッピング的にチャンネルを切り替えようとして十字キーを操作しても、その意図どおりにチャンネルを変えることができない。フォーカスがデータ放送にあたってしまった後では、ＴＶキーを押下してフォーカスをＴＶにあてた上で十字キーを操作しなければならず、不便である。
【０００６】
この発明は、上記の事情に鑑み、受信放送にデータ放送が存在する場合にフォーカスが自動的にデータ放送にあたることによる使い勝手の悪さを解消することを目的とする。
【課題を解決するための手段】
【０００７】
この発明の携帯型視聴装置は、上記の課題を解決するために、携帯機器向けのディジタル放送を受信してテレビ画像表示及びデータ放送画像表示が行える携帯型視聴装置において、受信放送にデータ放送が存在するときには、前記テレビ画像表示に加えて前記データ放送画像表示を実行するとともに、前記データ放送画像表示を行った時点から所定時間が経過した後に、キー操作で制御される対象をデータ放送とするように構成されたことを特徴とする。
【０００８】
上記の構成であれば、データ放送画面が表示されても所定時間の経過を待ってフォーカスをデータ放送にあてるので、例えば、十字キー（方向キー）を用いて連続的なチャンネルアップ・ダウン等が行えることになる。
【０００９】
上記構成の携帯型視聴装置において、前記キー操作で制御される対象がテレビ放送であるときには前記テレビ画像の表示領域を囲むように枠を表示し、前記キー操作で制御される対象がデータ放送であるときには前記データ放送画像表示がなされている領域に前記枠を表示するようにしてもよい。また、これら構成の携帯型視聴装置において、前記キー操作で制御される対象がテレビ放送であるときにはそのことを示す文字又は絵文字を表示し、前記キー操作で制御される対象がデータ放送であるときにはそのことを示す文字又は絵文字を表示するようにしてもよい。
【発明の効果】
【００１０】
以上説明したように、この発明によれば、データ放送画面が表示されても所定時間の経過を待ってフォーカスをデータ放送にあてるので、十字キー（方向キー）を用いて連続的なチャンネルアップ・ダウン処理行う等の効果を奏する。
【発明を実施するための最良の形態】
【００１１】
以下、この発明の実施形態の携帯型視聴装置を図１乃至図４に基づいて説明する。
【００１２】
図１は携帯型視聴装置としてのＴＶ付き携帯電話１００を示したブロック図である。このＴＶ付き携帯電話１００は地上ディジタル放送受信部を備える。この放送受信部において、地上アンテナ１は受信した信号を地上波ディジタルチューナ２に与える。地上波ディジタルチューナ２は、映像及び音声データを含む高周波ディジタル変調信号のうちから特定周波数の信号を取り出す。また、地上波ディジタルチューナ２は、復調回路、逆インタリーブ回路、誤り訂正回路などを備え、選択したディジタル変調信号を復調してトランスポート・ストリーム（ＴＳ）を出力する。地上波ディジタルチューナ２は、ＩＩＣバスなどを介してＣＰＵ１３によって制御される。
【００１３】
デマルチプレクサ（ＤＥＭＵＸ）３は、トランスポート・ストリーム（ＴＳ）を、ＩＥＥＥのＨ．２６４などのビデオフレーム、オーディオフレーム、及びセクションに分離する。セクションには、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）、及びデータ放送データなどが含まれている。ビデオフレーム及びオーディオフレームはＡＶデコーダ４に供給され、セクションはセクション処理部５に供給される。セクション処理部５は、セクションのなかに含まれているＰＳＩ／ＳＩに基づいてＥＰＧ（電子番組ガイド）データを作成したり、データ放送データの取得やバッファリング等を行う。
【００１４】
ＡＶデコーダ４は、ビデオフレームに対してデコードを行うビデオデコーダ、及びオーディオフレームに対してデコードを行うオーディオデコーダを備える。ビデオデコーダは、入力された符号化信号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理部６に出力され、音声データは音声処理部７に出力される。
【００１５】
映像処理部６はＡＶデコーダ４から映像データを受け取り、例えば、ＲＧＢデータを生成する。ＲＧＢデータは表示部（例えば、液晶表示パネル）８に与えられて映像表示がなされる。音声処理部７はＡＶデコーダ４から出力された音声データを受け取ってＤ／Ａ変換を行い、例えば右（Ｒ）音のアナログ信号及び左（Ｌ）音のアナログ信号を生成する。これら音声信号はスピーカ９に供給される。
【００１６】
操作部１２は、ＴＶ付き携帯電話１００における数字キー、十字キー（方向キー）１２ａ、各種機能キーから成る（図３参照）。電話機能部１１は、携帯電話のための通信制御及び通話処理を行う。
【００１７】
ＣＰＵ１３は、ＴＶ付き携帯電話１００における全体制御を行うとともに、ＢＭＬブラウザ及びオンスクリーンディスプレイとしても機能する。ＢＭＬブラウザは、受信した放送波にデータ放送が含まれているときにその表示のために自動的に起動される。受信した放送波にデータ放送が含まれていないときには、ＴＶ付き携帯電話１００の表示部８にはＴＶ（テレビ）画面のみが形成される。一方、データ放送が含まれているときには、図３に示すように、表示部８にはＴＶ画面（Ａ）及びデータ放送画面（Ｂ）が形成されることになる。なお、表示部８中の最下領域にはソフトキー等の表示のための領域（Ｃ）が形成される。また、操作部１２におけるＴＶキー１２ｂの操作をＣＰＵ１３が検出すると、テレビ機能が起動される。また、データ放送にフォーカスをあてている状態でＴＶキー１２ｂの操作をＣＰＵ１３が検出すると、ＴＶ放送にフォーカスをあてる。
【００１８】
また、ＢＭＬブラウザは表示すべき文書（データ）をセクション処理部５中の図示しないコンテンツバッファに要求する。このコンテンツバッファは、要求されたデータが存在すればそのデータを読み出してＢＭＬブラウザに渡す。要求されたデータが無ければセクション処理部５中のデータカルーセル受信処理部がトランスポートストリームから取り出す。
【００１９】
また、オンスクリーンディスプレイとして機能するＣＰＵ１３は、前記ＡＶデコーダから出力されるＴＶ映像と、ＢＭＬブラウザとして作成したデータ画面映像と、オンスクリーンディスプレイ機能による文字やピクト（絵文字）等の画像データによる映像とを適宜配置した映像を生成し、この映像を映像処理部６に与える。
【００２０】
ＣＰＵ１３は、ＢＭＬブラウザとして機能するとき、フォーカス（制御対象）をＴＶからデータ放送に切り替える。ＣＰＵ１３は例えば、十字キー（方向キー）１２ａにおける上方向キーと下方向キーの操作を、フォーカスがＴＶにあてられているときには、チャンネルアップ・ダウン指令として処理するが、フォーカスがデータ放送にあてられているときには、データ放送画面のスクロール指令として処理する。また、フォーカスがデータ放送にあてられているときにＴＶキー１２ｂの押下を検出すると、フォーカスをＴＶに移す。
【００２１】
ここで、従来であれば、図５に示したように、受信放送にデータ放送が存在していてそのデータを取得すると、ＴＶ画面領域（Ａ）のみの表示状態からデータ放送画面領域（Ｂ）をも表示する状態に切り替わるとともにフォーカスをデータ放送にあてることとしていた。本願発明では、図２のフローチャートに示すように、処理が行われる。すなわち、選局後には表示部８にＴＶ映像が表示され（ステップＳ１）、ＴＶにフォーカスがあたり（ステップＳ２）、十字キー（方向キー）１２ａを操作すると、チャンネルアップ・ダウンの処理が行われる。そして、受信放送にデータ放送が存在しているかどうかを判定し（ステップＳ３）、データ放送が無ければフォーカスはＴＶのままである。一方、データ放送が存在している場合には、ディスプレイの一部を用いてブラウザ表示（データ放送表示）を行い（ステップＳ４）、所定時間の経過を待つ（ステップＳ５）。そして、この所定時間の経過の後、データ放送にフォーカスがあたり（ステップＳ６）、選局処理が終了する。データ放送にフォーカスをあてている状態では、十字キー（方向キー）１２ａを操作すると、ブラウザ画面領域（データ放送画面領域）での画面のスクロールの処理が行われる。なお、図６に示した操作モードは、この実施形態においても実行され、データ放送にフォーカスをあてている状態でＴＶキー１２ｂが押下されると、ＴＶにフォーカスがあたる状態に戻る（ステップＳ２１，ステップＳ２２）。また、ＴＶ放送にフォーカスをあてている状態でＴＶキー１２ｂが押下されると、データ放送にフォーカスがあたる状態に戻る（ステップＳ２２，ステップＳ２３）。
【００２２】
このように、この発明では、受信放送にデータ放送が存在していてそのデータを取得すると、ＴＶ画面（Ａ）のみの表示状態からデータ放送画面（Ｂ）をも表示する状態に切り替わるのであるが、それと同時にフォーカスを遷移させるのではなく、所定時間（例えば、０．５秒）の経過を待つこととし、この経過を判定した後にフォーカスをデータ放送にあてる。これにより、受信放送にデータ放送が存在する場合でも、十字キー１２ａを連続的に操作することでチャンネルのアップ・ダウンを行うことができる。なお、前記所定時間は１秒以内とするのが望ましい。
【００２３】
なお、フォーカスがＴＶとデータ放送のどちらにあたっているのかを視覚的にユーザーに示す構成を採用してもよい。例えば、図４（ａ）（ｂ）に示しているように、フォーカスをあてている方の画面を囲むように所定色の枠を表示する。図４（ａ）ではＴＶ画面（Ａ）が前記枠で囲まれており、これによってユーザーはフォーカスがＴＶにあたっていると認識できる。また、図４（ｂ）ではデータ放送画面（Ｂ）が前記枠で囲まれており、これによってユーザーはフォーカスがデータ放送にあたっていると認識できる。データ放送画面（Ｂ）自体は、受信放送にデータ放送が存在すると直ちに表示される。従って、受信放送にデータ放送が存在する場合、図４（ａ）に示す表示状態となり、その後に前記所定時間が経過すると、図４（ｂ）に示す表示状態となる。更に、この実施形態では、図４に示しているように、フォーカスがＴＶ放送にあたっているときにはそのことを示す絵文字を表示し、フォーカスがデータ放送にあたっているときにはそのことを示す絵文字を表示している。図では前記絵文字を表示部８の右上隅に表示しているが、領域（Ｃ）などに表示してもよい。また、前記絵文字に替えて文字（「ＴＶ」，「データ」など）を表示してもよい。
【００２４】
また、操作部１２の数字キーを、フォーカスがＴＶにあてられているときにはＴＶチャンネルの選局ボタンとして機能させ、フォーカスがデータ放送にあてられているときには、ブラウザ画面上の選択や数字入力のためのボタンとして機能させることがある。かかる場合においても、受信放送にデータ放送が存在してブラウザ画面が表示されたときでも、所定時間以内であれば前記数字キーはＴＶチャンネルの選局ボタンとして機能する。
【図面の簡単な説明】
【００２５】
【図１】この発明の実施形態のＴＶ付き携帯電話を示したブロック図である。
【図２】この発明の実施形態の処理内容を示したフローチャートである。
【図３】この発明の実施形態のＴＶ付き携帯電話の外観（表示部や操作部の配置等）を示した説明図である。
【図４】同図（ａ）（ｂ）はこの発明の実施形態のＴＶ付き携帯電話の表示部の表示形態を示した説明図である。
【図５】従来の処理内容を示したフローチャートである。
【図６】従来及びこの発明の実施形態に共通の処理（ＴＶキー押下によるフォーカス切り替わり）を示したフローチャートである。
【符号の説明】
【００２６】
２    ディジタルチューナ
４    ＡＶデコーダ
８    表示部
１２  操作部
１３  ＣＰＵ
【図１】
2006311085.tif 000003
【図２】
2006311085.tif 000004
【図３】
2006311085.tif 000005
【図４】
2006311085.tif 000006
【図５】
2006311085.tif 000007
【図６】
2006311085.tif 000008